(57)【要約】【課題】椅子本体の鉛直状軸心廻りの回転を阻止したまま、スムーズに安定して昇降させることが可能であり、しかも、椅子本体が不意に大きく回転することの無い理美容椅子を提供する。【解決手段】椅子本体１を油圧シリンダ２のロッド20に連結して昇降自在かつ鉛直状軸心Ｌａ廻りに回転自在に設けた理美容椅子であって、椅子本体１に垂下状に取着されるガイド棒31と、ガイド棒31が上下スライド自在に挿通するガイド孔32ｃを有し鉛直状軸心Ｌａ廻りに回転自在に設けられると共に所定高さ位置に保持される連結部材32と、連結部材32に設けたロック孔80に上端部33ａが抜き差し自在に設けられたロック棒33と、上端部33ａがロック孔80に差し込まれるようにロック棒33を上方へ常時弾発付勢する弾発付勢部材34と、弾発付勢部材34に抗してロック棒33を下方へスライドさせて上端部33ａをロック孔80から抜くためのロック解除用フットペダル35と、を備えたものである。【選択図】図１
2017029186.tif 000002
【特許請求の範囲】
【請求項１】
椅子本体（１）を油圧シリンダ（２）のロッド（20）に連結して昇降自在かつ鉛直状軸心（Ｌａ）廻りに回転自在に設けた理美容椅子に於て、
上記椅子本体（１）に垂下状に取着されるガイド棒（31）と、該ガイド棒（31）が上下スライド自在に挿通するガイド孔（32ｃ）を有し上記鉛直状軸心（Ｌａ）廻りに回転自在に設けられると共に所定高さ位置に保持される連結部材（32）と、該連結部材（32）に設けたロック孔（80）に上端部（33ａ）が抜き差し自在に設けられたロック棒（33）と、上記上端部（33ａ）が上記ロック孔（80）に差し込まれるように上記ロック棒（33）を上方へ常時弾発付勢する弾発付勢部材（34）と、該弾発付勢部材（34）に抗して上記ロック棒（33）を下方へスライドさせて上記上端部（33ａ）を上記ロック孔（80）から抜くためのロック解除用フットペダル（35）と、を備えたことを特徴とする理美容椅子。
【請求項２】
上記ロック孔（80）は、上記連結部材（32）に上記鉛直状軸心（Ｌａ）廻りに複数形成され、施術を行うための椅子回転位置で上記椅子本体（１）の上記回転を阻止する施術用ロック孔（81）と、被施術者を乗り降りさせるための椅子回転位置で上記椅子本体（１）の上記回転を阻止するための着席・離席用ロック孔（82）と、を有する請求項１記載の理美容椅子。
【請求項３】
背面視で、上記椅子本体（１）を下降させるための第１フットスイッチ（36）と、上記椅子本体（１）を上昇させるための第２フットスイッチ（37）と、を左右方向に並べて配設し、さらに、上記第１フットスイッチ（36）と上記第２フットスイッチ（37）の中間上方位置に、上記ロック解除用フットペダル（35）を、配設した請求項１又は２記載の理美容椅子。
【発明の詳細な説明】
【技術分野】
【０００１】
本発明は、理美容椅子に関する。
【背景技術】
【０００２】
従来、椅子本体を油圧シリンダのロッド（ラム）の上端に取着して、昇降自在かつ鉛直状軸心廻りに回転自在に設けた理美容椅子が公知である（例えば、特許文献１参照）。
そして、油圧シリンダのロッドの鉛直状軸心廻りの回転を阻止するように、ロッドを外嵌状に締め付けて、椅子本体の鉛直状軸心廻りの回転を阻止（ロック）していた。
【先行技術文献】
【特許文献】
【０００３】
【特許文献１】特開２００７−１５１７８７号公報
【発明の概要】
【発明が解決しようとする課題】
【０００４】
しかし、ロッドを締め付けると、油圧シリンダの伸縮を行うことができないため、椅子本体を昇降させる際は、鉛直状軸心廻りの回転のロックを解除していた。つまり、昇降中の椅子本体の回転を阻止できず、昇降の際に椅子本体が左右に振れて着席姿勢が安定しないといった問題や、不安感を与えてしまうといった問題があった。
さらに、被施術者を着席や離席させる前に、椅子本体を昇降させて高さを調整した後に、椅子操作者が、椅子本体の回転の阻止（ロック）を忘れる場合があり、被施術者が脚踏み部や肘掛け部に体重を掛けた際に、椅子本体が不意に大きく回転し、被施術者がバランスを崩して転倒する虞れがあり、大変危険であるという問題があった。
【０００５】
そこで、本発明は、椅子本体の鉛直状軸心廻りの回転を阻止したまま、スムーズに安定して昇降させることが可能であり、しかも、椅子操作者がロック操作を行わなくても椅子本体が不意に大きく回転することの無い理美容椅子の提供を目的とする。
【課題を解決するための手段】
【０００６】
上記目的を達成するために、本発明の理美容椅子は、椅子本体を油圧シリンダのロッドに連結して昇降自在かつ鉛直状軸心廻りに回転自在に設けた理美容椅子に於て、上記椅子本体に垂下状に取着されるガイド棒と、該ガイド棒が上下スライド自在に挿通するガイド孔を有し上記鉛直状軸心廻りに回転自在に設けられると共に所定高さ位置に保持される連結部材と、該連結部材に設けたロック孔に上端部が抜き差し自在に設けられたロック棒と、上記上端部が上記ロック孔に差し込まれるように上記ロック棒を上方へ常時弾発付勢する弾発付勢部材と、該弾発付勢部材に抗して上記ロック棒を下方へスライドさせて上記上端部を上記ロック孔から抜くためのロック解除用フットペダルと、を備えたものである。
【０００７】
また、上記ロック孔は、上記連結部材に上記鉛直状軸心廻りに複数形成され、施術を行うための椅子回転位置で上記椅子本体の上記回転を阻止する施術用ロック孔と、被施術者を乗り降りさせるための椅子回転位置で上記椅子本体の上記回転を阻止するための着席・離席用ロック孔と、を有するものである。
また、背面視で、上記椅子本体を下降させるための第１フットスイッチと、上記椅子本体を上昇させるための第２フットスイッチと、を左右方向に並べて配設し、さらに、上記第１フットスイッチと上記第２フットスイッチの中間上方位置に、上記ロック解除用フットペダルを、配設したものである。
【発明の効果】
【０００８】
本発明によれば、椅子本体を昇降させる際に、椅子本体の鉛直状軸心廻りの回転を阻止し、被施術者に不安感を与えること無く、安全かつスムーズに安定して椅子本体を昇降させることができる。椅子操作者が、ロック解除操作を行うまでは、椅子本体が常にロック状態に保持され、被施術者が乗り降りする際に椅子本体が振れることがなく、安全、かつ安心して、着席及び離席をすることができる。ロック構造に関して複雑な電気制御や油圧制御が不要で、構造を簡素化でき、製造を迅速かつ容易（安価）に行うことができる。
【図面の簡単な説明】
【０００９】
【図１】本発明の理美容椅子の実施の一形態を示す要部断面側面図である。
【図２】要部背面図である。
【図３】平面図である。
【図４】連結部材の一例を示す平面図である。
【図５】作用を説明するための平面図である。
【図６】作用を説明するための平面図である。
【図７】作用を説明するための平面図である。
【図８】基準状態の要部断面側面図である。
【図９】上昇状態の要部断面側面図である。
【発明を実施するための形態】
【００１０】
以下、図示の実施形態に基づき本発明を詳説する。
本発明に係る理美容椅子は、図１に示すように、座部11を有する椅子本体１と、椅子本体１を昇降自在かつ鉛直状軸心Ｌａ廻りに回転自在に下方から支持する基台部３と、を備えている。
【００１１】
椅子本体１は、座部11と背もたれ部12と肘掛け部13と足踏み部（ステップ部）14と、座部11の下面に固着される昇降ベース部材15と、を備えている。
【００１２】
基台部３は、床面Ｇに載置される基盤部材30と、基盤部材30に鉛直状軸心Ｌａ上（同軸心状）に立設される油圧シリンダ２と、油圧シリンダ２に圧油を送るための電動ポンプＰと、油圧シリンダ２と電動ポンプＰとに接続され作動油を貯えるための油圧用タンクＴと、油圧シリンダ２と油圧用タンクＴの作動油の流れを切り換えるための電磁切換弁（図示省略）と、を備えている。
【００１３】
油圧シリンダ２は、ロッド20の上端部が、椅子本体１の下面（昇降ベース部材15）に固着されると共に、バレル部21の下端部が、基盤部材30に固着されている。
ロッド20は、バレル部21に対して、鉛直状軸心Ｌａ廻りに回転自在に設けている。
油圧シリンダ２の上下方向の伸縮によって椅子本体１を昇降自在とし、ロッド20の鉛直状軸心Ｌａ廻りの回転によって椅子本体１を鉛直状軸心Ｌａ廻りに回転自在としている。
椅子本体１の昇降は油圧にて行われ、椅子本体１の鉛直状軸心Ｌａ廻りの回転（以下、単に回転と呼ぶ場合もある）は、散髪や毛染め等を行う美容師や理容師等の椅子操作者が椅子本体１を左右方向に回動させる（振る）手動にて行われる。
【００１４】
そして、椅子本体１の回転を阻止する（ロックする）ためのロック手段を備えている。
ロック手段は、椅子本体１の下面（昇降ベース部材15）に垂下状に固着されるガイド棒31と、ガイド棒31が上下スライド自在に挿通するガイド孔32ｃを有すると共に油圧シリンダ２のバレル部21に外嵌状に取着する連結部材32と、連結部材32に設けたロック孔80に上端部33ａが抜き差し自在に設けられたロック棒33と、ロック棒33を上方へ常時弾発付勢する弾発付勢部材34と、弾発付勢部材34の上方弾発力に抗してロック棒33を下方へスライドさせて上端部33ａをロック孔80から抜くためのロック解除用フットペダル35と、ロック棒33を上下スライド自在に保持するスライドガイド部材39（39Ａ，39Ｂ）と、を備えている。
【００１５】
ガイド棒31は、１本の丸棒状であって、椅子本体１が最高位置に上昇してもガイド孔32ｃから抜けない所定長さ寸法に設定されている。つまり、椅子本体１が昇降する際に、常に、ガイド孔32ｃに挿入乃至挿通されている。
【００１６】
連結部材32は、バレル部21の上部に外嵌状に取着する短円筒状の取付部32ａと、取付部32ａから前方側Ｎａへ水平状に突設される帯板状の突片部32ｂと、を有している。
【００１７】
取付部32ａは、バレル部21に、鉛直状軸心Ｌａ廻りに回転自在に取着すると共に所定高さ位置に保持されるように取着している。
取付部32ａの下面32ｅに、ロック棒33の上端部33ａが抜き差し可能な、下方開口状のロック孔80を設けている。
【００１８】
突片部32ｂは、突出先端部に形成した貫孔に円筒状のスライド用滑り軸受部材を内嵌し、その滑り軸受部材の内周面によってガイド孔32ｃを形成（貫設）している。上記滑り用軸受け部材は、図示省略の固着部材によって上下方向の抜けが阻止されている。
【００１９】
連結部材32とバレル部21との取着構造は、バレル部21の外周面に外周凹溝22を設け、取付部32ａの外周面から中心孔32ｇまでラジアル方向に貫通するネジ孔32ｄを形成し、そのネジ孔32ｄに螺着する抜け止め用のネジ部材38の先端部を外周凹溝22に差し込んで取着している。
ネジ部材38の先端部を、外周凹溝22の上下壁面（溝両側面）に係止させて、連結部材32の上下方向スライド（位置ズレ）を阻止して所定高さ位置に保持している。
また、ネジ部材38の先端が外周凹溝22の底面と離間又は摺接するように（締め付け力が発揮されないように）して、ネジ部材38の先端部が外周凹溝22の溝側面にガイドされつつ、鉛直状軸心Ｌａ廻りに回転自在としている。
ネジ部材38は、先端部が棒状となったものが好ましく、例えば、六角孔付きの棒先ホーローセットである。
【００２０】
ロック棒33は、１本の丸棒状であって、上端部33ａが、先細りテーパ状に形成されている。ロック孔80の下方開口端縁にテーパ状外周面を当接させ、上端をロック孔80に差し込んで、連結部材32の鉛直状軸心Ｌａ廻りの回転を阻止する。
【００２１】
スライドガイド部材39は、油圧シリンダ２のバレル部21に固着され、ロック棒33を上下スライド自在かつ左右前後方向に位置決め保持する。
そして、ロック棒33の上部を上下スライド自在に保持する上用スライドガイド部材39Ａと、ロック棒33の下端部を上下スライド自在に保持する下用スライドガイド部材39Ｂと、を備えている。
【００２２】
弾発付勢部材34は、圧縮コイルバネから成り、ロック棒33の下部に外嵌状（巻き付け状）に配設され、ロック棒33を常に押し上げるように設けている。
弾発付勢部材34は、下端部が、下用スライドガイド部材39Ｂの上端面に支持され、上端部が、ロック棒33に固着しているロック解除用フットペダル35の基端部を押し上げるようにして、ロック棒33に上方弾発力を付与するように設けている。
【００２３】
ロック解除用フットペダル35（以下、解除ペダル35と呼ぶ場合もある）は、ロック棒33の下部に固着される基端部と、基端部から後方へ水平状に突設している先端部と、を有している。
【００２４】
また、基台部３は、油圧用タンクＴ、電動ポンプＰ、油圧シリンダ２のバレル部21、ロック棒33、弾発付勢部材34、電磁弁等を、包囲するカバー部材50を備えている。
カバー部材50は、前後方向に分割可能に構成され、前方側に配設される第１カバー部材50Ａと、後方側に配設される第２カバー部材50Ｂと、を備えている。
第２カバー部材50Ｂの背面壁部に貫設した窓部51に、解除ペダル35の先端部を挿通させて、第２カバー部材50Ｂから後方へ突出させている。
【００２５】
図２に示すように、基台部３は、第２カバー部材50Ｂの外部側の後方下部に、油圧シリンダ２を短縮させて椅子本体１を降下させるための第１フットスイッチ36と、油圧シリンダ２を伸長させて椅子本体１を上昇させるための第２フットスイッチ37と、を備えている。
【００２６】
そして、背面視で、第１フットスイッチ（フットペダル）36と、第２フットスイッチ（フットペダル）37と、を所定の高さ位置（同じ高さ位置）に、左右方向に並べて配設し、さらに、第１フットスイッチ36と第２フットスイッチ37の中間上方位置に、解除ペダル35を配設している。
また、第２カバー部材50Ｂに貫設した窓部51の左右側縁部51ａ，51ａによって、解除ペダル35の左右方向の振れを規制（防止）している。
【００２７】
さらに、図３及び図４に示すように、連結部材32の取付部32ａにロック孔80を鉛直状軸心Ｌａ廻りに複数形成している。
ロック孔80は、散髪や毛染め等の施術を行うため椅子回転位置で椅子本体１の回転を阻止する複数の施術用ロック孔81と、被施術者を椅子本体１に対して乗り降りさせるための椅子回転位置で椅子本体１の回転を阻止するための複数の着席・離席用ロック孔82と、を有している。
【００２８】
施術用ロック孔81は、図３に示すように、理美容店内で施術用鏡Ｋが配設されている側を前方側Ｎａとして説明すると、椅子本体１を施術用鏡Ｋに対面状に配設した前向き椅子回転位置でロック棒33の上方位置に配設される孔であって、主として、散髪や毛染めパーマを行う際に使用される。
また、図５に示すように、椅子本体１を右斜め前に向けて配設した右斜め前椅子回転位置や、椅子本体１を左斜め前に向けて配設した左斜め前椅子回転位置で、ロック棒33の上方位置に配設される（ロック棒33に対応する）孔であって、主として、被施術者に髪形を確認してもらう場合や、施術内容を打合せする場合に使用する。
【００２９】
着席・離席用ロック孔82は、図６に示すように椅子本体１を右に向けて配設した右向き椅子回転位置や、図７に示すように椅子本体１を右斜め後に向けて配設した右斜め後椅子回転位置や、椅子本体１を左に向けて配設した左向き椅子回転位置や、椅子本体１を左斜め後に向けて配設した左斜め後椅子回転位置で、ロック棒33に対応する孔であって、被施術者を椅子本体１に乗せる場合や椅子本体１から降ろす場合に使用する。
【００３０】
ここで、平面視で、鉛直状軸心Ｌａを通る基盤部材30の左右幅方向中心線を基準中心線Ｓａとし、鉛直状軸心Ｌａを通る椅子本体１の左右幅方向の中心線を椅子中心線Ｓｂとして、基準中心線Ｓａと椅子中心線Ｓｂの間の中心角度を回転角度θと呼んで椅子本体１の向き（姿勢）を説明する。
椅子本体１を施術用鏡Ｋに対面状に配設とは、図３に示すように、回転角度θが、左に５度未満、右に５度未満の範囲内となるように配設することである（図３参照）。
椅子本体１を右（左）斜め前に向けて配設とは、回転角度θが、右（左）に５度以上６０度未満の範囲内となるように配設することである（図５参照）。
椅子本体１を右（左）に向けて配設とは、回転角度θが、右（左）に６０度以上１２０度未満の範囲内になるように配設することである（図６参照）。
椅子本体１を右（左）斜め後に向けて配設とは、回転角度θが、右（左）に１２０度以上１５０度以下の範囲内になるように配設することである（図７参照）。
【００３１】
つまり、図４に示すように、連結部材32は、前向き用ロック孔80Ａと、右斜め前用ロック孔80Ｂ、左斜め前用ロック孔80Ｃと、右向き用ロック孔80Ｄと、左向き用ロック孔80Ｅと、右斜め後用ロック孔80Ｆと、左斜め後用ロック孔80Ｇと、を有している。
【００３２】
平面視で、前向き用ロック孔80Ａから、右廻り（前方側Ｎａを１２時として時計廻り）に、所定の間隔中心角度αをもって、順次、左斜め前用ロック孔80Ｃ、左向き用ロック孔80Ｅ、左斜め後用ロック孔80Ｇを設けている。そして、前向き用ロック孔80Ａから、左廻り（反時計廻り）に、所定の間隔中心角度αをもって、順次、右斜め前用ロック孔80Ｂ、右向き用ロック孔80Ｄ、右斜め後用ロック孔80Ｆを設けている。
言い換えると、鉛直状軸心Ｌａ廻りにロック孔80を（所定の間隔中心角度αをもって）等間隔に複数設け、かつ、（平面視で鉛直状軸心点Ｌａ´に関して）前向き用ロック孔80Ａの点対称位置となる後向き用ロック孔を省略している。
【００３３】
上記間隔中心角度αは、２５度以上５０度以下に設定するのが望ましい。このように設定することで、使い勝手良く、状況に応じて、施術や着席・離席が容易な椅子回転位置でロックできる。
図例においては、間隔中心角度αを４５度としている。つまり、椅子本体１を、前向き椅子回転位置（図３参照）から、右廻りに、右斜め後椅子回転位置（図７参照）までの範囲内で、４５度毎にロックできる。また、前向き椅子回転位置（図３参照）から、左廻りに、左斜め後椅子回転位置（図示省略）までの範囲内で、４５度毎にロック（位置決め）できる。
なお、図例に限らず、ロック孔80は、前向き用ロック孔80Ａから、３０度の間隔中心角度αをもって、右廻りや左廻りに、順次、複数、設けてもよい。つまり、前向き椅子回転位置から右斜め後椅子回転位置までの範囲内や、前向き椅子回転位置から左斜め後椅子回転位置までの範囲内において、３０度毎に、ロックできるように設けても良い。
【００３４】
次に、本発明の理美容椅子の使用方法（作用）について説明する。
図８に示すように、椅子本体１が、前方側Ｎａを向いた前向き椅子回転位置、かつ、油圧シリンダ２が短縮状態の椅子最低位置を、操作開始前の基準状態として説明する。
先ず、椅子操作者が操作を行っていない上記基準状態において、ロック棒33は、弾発付勢部材34の上方への弾発力を受けて、上端部33ａが前向き用ロック孔80Ａ（施術用ロック孔81）に差し込まれている。
【００３５】
この基準状態では、ロック棒33によって、連結部材32の鉛直状軸心Ｌａ廻りの回転が阻止されたロック状態である。したがって、椅子操作者が椅子本体１を左右方向に振っても、椅子本体１に固着したガイド棒31が、ロックされている連結部材32のガイド孔32ｃに挿通しているため、椅子本体１の回転は不可能である。
【００３６】
ロック状態で、椅子操作者が第２フットスイッチ37（図２参照）を踏み込むと、図９に示すように、ロッド20が上方へ突出して油圧シリンダ２が伸長する。椅子本体１に取着されているガイド棒31は、ガイド孔32ｃにガイドされつつ上昇し、椅子本体１が、前方側Ｎａや後方、或いは、左右方向へ、下傾するのを防止する。
【００３７】
また、第１フットスイッチ36を踏み込むと、ロッド20がバレル部21に収納され、油圧シリンダ２が短縮し、ガイド棒31は連結部材32のガイド孔32ｃにガイド（案内）されつつ降下し、椅子本体１の傾きを防止する。
【００３８】
また、椅子本体１が昇降する際、連結部材32は、ガイド棒31の鉛直状軸心Ｌａ廻りの周回（公転）運動を阻止するため、椅子本体１の回転がロック状態で、スムーズに安定して昇降する。
つまり、椅子本体１はロック状態で昇降可能であるため、昇降操作を行った後に、ロック操作を行う必要がない。
【００３９】
そして、椅子本体１を回転させる場合は、解除ペダル35の先端部を踏み込むことで、ガイド棒31が降下して、上端部33ａがロック孔80から抜かれる。連結部材32が鉛直状軸心Ｌａ廻りに回転可能となり、椅子本体１は、椅子操作者の手動にて、鉛直状軸心Ｌａ廻りに回転する。
【００４０】
椅子操作者が、椅子本体１を所望の椅子回転位置に配設し、解除ペダル35の踏み込みをやめると、ロックするための操作を行わなくても、弾発付勢部材34の弾発力によってロック棒33が自動的に上昇し、ロック孔80に差し込まれて、ロック状態となる。
例えば、右向き椅子回転位置の椅子本体１に対して、被施術者が、着席又は離席しようとして、肘掛け部13や足踏み部14に、体重を掛けても、椅子本体１が回転せず、バランスを崩すことなく、乗り降りできる。
【００４１】
また、ロック棒33が上昇した際に、ロック棒33の上方位置にロック孔80が配設されていない場合は、連結部材32の下面32ｅに、上端部33ａが当接する。ロック棒33が、常に上方弾発力を受けて、ロック孔80へ入ろうとするので、椅子操作者が椅子本体１を僅かに左右方向に振れば、ロック棒33の上端部33ａが下面32ｅを摺動し（上端部33ａと下面32ｅとが摺接し）、ロック孔80がロック棒33に対応すると、上端部33ａが自ら入り込んで（弾発付勢力により差し込まれて）、ロック状態となる。
また、上端部33ａを先細テーパ状に形成しているため、ロック棒33の上端が少しでもロック孔80にかかれば、ロック孔80をロック棒33の真上に引きつける（誘導する）。
【００４２】
なお、本発明は、設計変更可能であって、連結部材32及びスライドガイド部材39は、図例のようにバレル部21に取着する構造が、部品点数を少なくできて好ましいが、スライドガイド部材39や連結部材32を固着する固定部材を基盤部材30に立設しても良い。また、バレル部21に上下一対の外鍔部を設けて、その一対の外鍔部にて連結部材32を所定高さ位置に保持すると共に鉛直状軸心Ｌａ廻りに回転自在とするも良い。
【００４３】
以上のように、本発明の理美容椅子は、椅子本体１を油圧シリンダ２のロッド20に連結して昇降自在かつ鉛直状軸心Ｌａ廻りに回転自在に設けた理美容椅子に於て、椅子本体１に垂下状に取着されるガイド棒31と、ガイド棒31が上下スライド自在に挿通するガイド孔32ｃを有し鉛直状軸心Ｌａ廻りに回転自在に設けられると共に所定高さ位置に保持される連結部材32と、連結部材32に設けたロック孔80に上端部33ａが抜き差し自在に設けられたロック棒33と、上端部33ａがロック孔80に差し込まれるようにロック棒33を上方へ常時弾発付勢する弾発付勢部材34と、弾発付勢部材34に抗してロック棒33を下方へスライドさせて上端部33ａをロック孔80から抜くためのロック解除用フットペダル35と、を備えたので、椅子本体１を昇降させる際に、椅子本体１の鉛直状軸心Ｌａ廻りの回転を阻止し、被施術者に不安感を与えること無く、安全かつスムーズに昇降させることができる。椅子本体１のロック操作をしなくても、ロック棒33が常に上方へ弾発付勢されているので、自動的にロックがかかり、安全かつ安心して被施術者が着席や離席を行うことができる。ロック解除操作後は、ロック操作を行う必要が無く、操作性に優れると共に安全に使用できる。ロック手段（ロック構造）に関して複雑な電気制御や油圧制御が不要で、構造を簡素化でき、製造を迅速かつ容易（安価）に行うことができる。
【００４４】
また、ロック孔80は、連結部材32に鉛直状軸心Ｌａ廻りに複数形成され、施術を行うための椅子回転位置で椅子本体１の回転を阻止する施術用ロック孔81と、被施術者を乗り降りさせるための椅子回転位置で椅子本体１の回転を阻止するための着席・離席用ロック孔82と、を有するので、散髪やパーマ等の施術をする際に、施術者が施術を行いやすい椅子回転位置で、椅子本体１の回転をロックさせたまま椅子本体１を昇降できる。椅子本体１が左右にふらつくことなく、スムーズに安定して椅子本体１を昇降できる。被施術者の乗り降りが容易な椅子回転位置で椅子本体１をロック（位置決め）できると共に、その椅子回転位置でロック状態のまま乗り降りしやすい椅子高さに調整できる。
【００４５】
また、背面視で、椅子本体１を下降させるための第１フットスイッチ36と、椅子本体１を上昇させるための第２フットスイッチ37と、を左右方向に並べて配設し、さらに、第１フットスイッチ36と第２フットスイッチ37の中間上方位置に、ロック解除用フットペダル35を、配設したので、手を使わずに（手が自由なまま）ロック解除操作及び昇降操作を行うことができる。例えば、施術道具を持ったままで良いので、ロック解除操作を容易かつ迅速に行うことができる。誤操作を防止でき、安全かつ適切に椅子本体１の昇降操作やロック解除操作を行うことができる。基台部３をコンパクトにできる。
【符号の説明】
【００４６】
１  椅子本体
２  油圧シリンダ
20  ロッド
31  ガイド棒
32  連結部材
32ｃ  ガイド孔
33  ロック棒
33ａ  上端部
34  弾発付勢部材
35  ロック解除用フットペダル
36  第１フットスイッチ
37  第２フットスイッチ
Ｌａ  鉛直状軸心
80  ロック孔
81  施術用ロック孔
82  着席・離席用ロック孔
【図１】
2017029186.tif 000003
【図２】
2017029186.tif 000004
【図３】
2017029186.tif 000005
【図４】
2017029186.tif 000006
【図５】
2017029186.tif 000007
【図６】
2017029186.tif 000008
【図７】
2017029186.tif 000009
【図８】
2017029186.tif 000010
【図９】
2017029186.tif 000011